(57)【要約】【課題】マグネットキーを有するキーユニットのデザイン上の自由度を高める。【解決手段】マグネットキー２２が、携帯可能なケース２３に、該ケース２３から突出した突出位置と、ケース２３に格納される格納位置との間で作動することを可能として取付けられる。【選択図】        図２
2016089336.tif 000002
【特許請求の範囲】
【請求項１】
マグネット錠（２０）を解錠可能なマグネットキー（２２）を有するキーユニットにおいて、前記マグネットキー（２２）が、携帯可能なケース（２３）に、該ケース（２３）から突出した突出位置と、前記ケース（２３）に格納される格納位置との間で作動することを可能として取付けられることを特徴とするキーユニット。
【請求項２】
前記突出位置に向けて前記マグネットキー（２２）を付勢する弾発部材（４８）と、前記マグネットキー（２２）を前記格納位置で保持する規制位置ならびに前記マグネットキー（２２）の前記格納位置から前記突出位置への作動を許容する規制解除位置間で作動することを可能として前記ケース（２３）に支持されるとともに前記規制位置側に向けて弾発付勢される作動規制部材（４９）と、該作動規制部材（４９）を前記規制解除位置に強制的に移動させるように押し込み操作することを可能として前記ケース（２３）に配設される押しボタン（５０）とを備えることを特徴とする請求項１に記載のキーユニット。
【請求項３】
前記マグネットキー（２２）が、シリンダ錠（１５）のキー孔（１８）を開閉するシャッター板（１９）を閉じ位置に保持する前記マグネット錠（２０）を解錠するものであることを特徴とする請求項１または２に記載のキーユニット。
【請求項４】
前記シリンダ錠（１５）を解錠するメカニカルキー（２４）が、前記ケース（２３）から突出するようにして前記ケース（２３）に固定されることを特徴とする請求項１〜３のいずれか１項に記載のキーユニット。
【発明の詳細な説明】
【技術分野】
【０００１】
本発明は、マグネット錠を解錠可能なマグネットキーを有するキーユニットに関する。
【背景技術】
【０００２】
キー本体に一体に設けられて該キー本体から突出するマグネット保持部に、複数のマグネットが配設されて成るマグネットキーが、特許文献１で知られている。
【先行技術文献】
【特許文献】
【０００３】
【特許文献１】特許３９１４０４３号公報
【発明の概要】
【発明が解決しようとする課題】
【０００４】
上記特許文献１で開示されたものでは、キー本体のデザイン上の自由度が制限されてしまい、デザイン上の自由度を増大させることが望まれている。
【０００５】
本発明は、かかる事情に鑑みてなされたものであり、マグネットキーを有するキーユニットのデザイン上の自由度を高めることを目的とする。
【課題を解決するための手段】
【０００６】
上記目的を達成するために、本発明は、マグネット錠を解錠可能なマグネットキーを有するキーユニットにおいて、前記マグネットキーが、携帯可能なケースに、該ケースから突出した突出位置と、前記ケースに格納される格納位置との間で作動することを可能として取付けられることを第１の特徴とする。
【０００７】
また本発明は、第１の特徴の構成に加えて、前記突出位置に向けて前記マグネットキーを弾発付勢する弾発部材と、前記マグネットキーを前記格納位置で保持する規制位置ならびに前記マグネットキーの前記格納位置から前記突出位置への作動を許容する規制解除位置間で作動することを可能として前記ケースに支持されるとともに前記規制位置側に向けて弾発付勢される作動規制部材と、該作動規制部材を前記規制解除位置に強制的に移動させるように押し込み操作することを可能として前記ケースに配設される押しボタンとを備えることを第２の特徴とする。
【０００８】
本発明は、第１または第２の特徴の構成に加えて、前記マグネットキーが、シリンダ錠のキー孔を開閉するシャッター板を閉じ位置に保持する前記マグネット錠を解錠するものであることを第３の特徴とする。
【０００９】
さらに本発明は、第１〜第３の特徴の構成のいずれかに加えて、前記シリンダ錠を解錠するメカニカルキーが、前記ケースから突出するようにして前記ケースに固定されることを第４の特徴とする。
【発明の効果】
【００１０】
本発明の第１の特徴によれば、携帯可能なケースに、ケースから突出した突出位置ならびにケースに格納される格納位置間で作動することを可能としてマグネットキーが取付けられるようにしてキーユニットが構成されるので、キーユニットのデザイン上の自由度を高めることができる。
【００１１】
また本発明の第２の特徴によれば、押しボタンを追し込み操作するだけで、マグネットキーを格納位置から突出位置に動かすことができ、操作性が向上する。
【００１２】
本発明の第３の特徴によれば、シリンダ錠のキー孔を保護するシャッター板の開き操作性を高めることができる。
【００１３】
さらに本発明の第４の特徴によれば、メカニカルキーがケースに固定されるので、ケースの携帯性を高めることができる。
【図面の簡単な説明】
【００１４】
【図１】シリンダ錠の保護装置およびキーユニットの斜視図である。
【図２】キーユニットの斜視図である。
【図３】キーユニットの分解斜視図である。
【図４】ケースの分解斜視図である。
【図５】図２の５−５線断面図である。
【図６】図２の６矢視図である。
【図７】図６の７−７線断面図である。
【図８】図６の８−８線断面図である。
【図９】図６の９−９線断面図である。
【図１０】図７の１０−１０線断面図である。
【図１１】図７の１１−１１線断面図である。
【図１２】図７の１２−１２線断面図である。
【発明を実施するための形態】
【００１５】
以下、本発明の実施の形態について、添付の図１〜図１２を参照しながら説明すると、先ず図１において、イグニッションスイッチのスイッチング態様の切換ならびにステアリングのロックおよびアンロック状態を切換を可能として、車両たとえば自動二輪車等に用いられるシリンダ錠１５のシリンダボディ１６に保護装置１７が取付けられる。
【００１６】
前記保護装置１７は、前記シリンダ錠１５が有するキー孔１８をシャッター板１９で閉じて保護することを可能としてものであり、前記シャッター板１９の閉じ位置は、前記保護装置１７に隣接した位置に配置されて該保護装置１７に連結されたマグネット錠２０で保持される。このマグネット錠２０はマグネットキー挿入孔２１を有しており、そのマグネットキー挿入孔２１にマグネットキー２２を挿入することで、前記シャッター板１９を閉じ位置から開き位置に作動させることが可能である。
【００１７】
図２を併せて参照して、前記マグネットキー２２は、携帯可能なケース２３に、該ケース２３から突出した突出位置（図２の鎖線で示す位置）と、前記ケース２３に格納される格納位置（図２の実線で示す位置）との間で作動することを可能として取付けられており、前記マグネットキー２２および前記ケース２３と、そのケース２３から突出するようにして前記ケース２３に固定されるメカニカルキー２４とで、キーユニット２５の一部が構成され、前記メカニカルキー２４により前記シリンダ錠１５を解錠することができる。
【００１８】
図３〜図５を併せて参照して、前記ケース２３は、合成樹脂から成る第１および第２ケース部材２７，２８が相互に結合されることで一方向に長くかつ偏平な矩形状に構成されるものであり、前記マグネットキー２２は、前記ケース２３の長手方向一端部から突出する突出位置と、前記ケース２３内に収容される収容位置との間での約１８０度の回動を可能として前記ケース２３に支持され、前記ケース２３の長手方向他端部から前記メカニカルキー２４が突出するように前記メカニカルキー２４の基端部が第１ケース部材２７にインサート結合される。
【００１９】
第１ケース部材２７は、平板状の第１ケース部材主部２７ａと、第１ケース部材主部２７ａの長手方向一端部の幅方向一側から第２ケース部材１６側に隆起する一端側第１隆起部２７ｂと、前記メカニカルキー２４の基端部をインサート結合するようにして前記第１ケース部材主部２７ａの長手方向他端部から第２ケース部材２８側に隆起する他端側第１隆起部２７ｃと、第１ケース部材主部２７ａの幅方向一側から第２ケース部材２８側に隆起するようにして前記一端側第１隆起部２７ｂおよび前記他端側第１隆起部２７ｃ間を連結する第１側壁部２７ｄと、第１ケース部材主部２７ａの幅方向中間部から第２ケース部材２８側に隆起して前記一端側第１隆起部２７ｂおよび前記他端側第１隆起部２７ｃ間を連結する中間壁部２７ｅとを一体に有するように形成される。
【００２０】
前記一端側第１隆起部２７ｂおよび前記第１側壁部２７ｄの第１ケース部材主部２７ａからの隆起量は、前記他端側第１隆起部２７ｃの第１ケース部材主部２７ａからの隆起量よりも小さく設定されており、前記中間壁部２７ｅの第１ケース部材主部２７ａからの最大隆起量は、前記他端側第１隆起部２７ｃの前記隆起量よりも大きく設定される。また前記他端側第１隆起部２７ｃの幅方向両側には段部２９がそれぞれ形成される。
【００２１】
第２ケース部材２８は、平板状の第２ケース部材主部２８ａと、第２ケース部材主部２８ａの長手方向一端部の幅方向一側から第１ケース部材２７側に隆起する一端側第２隆起部２８ｂと、前記第２ケース部材主部２８ａの長手方向他端部から第１ケース部材２７側に隆起する他端側第２隆起部２８ｃと、第２ケース部材主部２８ａの幅方向一側から第１ケース部材２７側に隆起して前記一端側第２隆起部２８ｂおよび前記他端側第２隆起部２８ｃ間を連結する第２側壁部２８ｄと、円弧状の横断面形状を有しつつ前記他端側第２隆起部２８ｃの幅方向両側から第１ケース部材２７側に突出する一対の突出部２８ｅとを一体に備える。
【００２２】
前記一端側第２隆起部２８ｂおよび前記第２側壁部２８ｄの前記第２ケース部材主部２８ａからの隆起量は同一に設定されており、前記他端側第２隆起部２８ｃの第２ケース部材主部２７ａからの隆起量は、前記一端側第２隆起部２８ｂおよび前記第２側壁部２８ｄの前記第２ケース部材主部２８ａからの隆起量よりも小さく設定される。
【００２３】
このような第１および第２ケース部材２７，２８を相互に合わせると、一端側第１隆起部２７ｂが一端側第２隆起部２８ｂに当接し、他端側第１隆起部２７ｃが他端側第２隆起部２８ｃに当接し、第１側壁部２７ｄが第２側壁部２８ｄに当接し、第２ケース部材２８の前記突出部２８ｅが第１ケース部材２７における段部２９に嵌合することになり、このように第１および第２ケース部材２７，２８を相互に合わせた状態で、前記中間壁部２７ｅに関して第１および第２側壁部２７ｄ，２８ｄと反対側で前記第１および第２ケース部材２７，２８間には、第１および第２ケース部材２７，２８の幅方向に沿う他側間で外部に開放するとともに前記第１および第２ケース部材２７，２８の長手方向一端部の幅方向他側間で外部に開放する格納凹部３０が、前記マグネットキー２２を格納することを可能として形成される。
【００２４】
第１および第２ケース部材２７，２８の相対位置を定めるために、第１ケース部材２７には、前記一端側第１隆起部２７ｂに隣接した位置で前記第１ケース部材主部２７ａから突出する棒状の第１位置決め突起２７ｆと、前記他端側第１隆起部２７ｃの幅方向に間隔をあけた２箇所から突出する棒状の第２位置決め突起２７ｇと、前記一端側第１隆起部２７ｃおよび前記第１側壁部２７ｄの連設部に対応する部分で前記第１ケース部材主部２７ａから突出する横断面略Ｌ字状の第３位置決め突部２７ｈとが一体に形成される。一方、第２ケース部材２８には、第１位置決め突起２７ｆを嵌合させるようにして一端側第２隆起部２８ｂに配置される第１位置決め凹部３１と、第２位置決め突起２７ｇを嵌合させるようにして他端側第２隆起部２８ｃに配置される一対の第２位置決め凹部３２と、第３位置決め突起２７ｈを嵌合させるようにして第２側壁部２８ｄに配置される第３位置決め凹部３３とが形成される。
【００２５】
第１ケース部材２７の前記中間壁部２７ｅには、第１ケース部材２７の長手方向に間隔をあけた２箇所に配置されるようにして係止孔３４が形成され、それらの係止孔３４に弾発的に係合する一対の係合爪２８ｆが、前記第２ケース部材主部２８ａから第１ケース部材２７側に向けて突出するようにして第２ケース部材２８に一体に突設される。また第２ケース部材２８には、一対の前記係合爪２８ｆの配列方向の延長上に位置する円筒状のボス部２８ｇが前記一端側第２隆起部２８ｂから第１ケース部材２７側に向けて突出するようにして一体に設けられており、第１ケース部材２７の第１ケース部材主部２７ａには、挿通孔３５を有する円形の当接座２７ｉが前記ボス部２８ｇに当接するようにして一体に形成され、前記第１ケース部材２７の第１ケース部材主部２７の外方から前記挿通孔３５に挿通されるねじ部材３６が前記ボス部２８ｇにねじ込まれる。すなわち第１および第２ケース部材２７，２８は、それらのケース部材２７，２８の幅方向中間部かつ長手方向に間隔をあけた２箇所で相互に係合されるとともに、それらの係合箇所と並ぶ１箇所で前記ねじ部材３６で締結されることで相互に結合されることになる。
【００２６】
第１および第２ケース部材２７，２８が相互に結合された状態で相互に連なる透孔３７，３８が、第１ケース部材２７の一端側第１隆起部２７ｂならびに第２ケース部材２８の一端側第２隆起部２８ｂに設けられており、それらの透孔３７，３８は、ストラップ等を前記ケース２３に取付けるために利用される。
【００２７】
前記マグネットキー２２は、合成樹脂から成るマグネットキー本体４０に、複数個たとえば３個のマグネット４１が配設されて成るものであり、前記マグネットキー本体４０は、前記格納凹部３０に格納することを可能として前記ケース２３の長手方向に長く形成され、このマグネットキー本体４０の一端部が前記ケース２３に回動可能に支持される。
【００２８】
前記マグネットキー本体４０が前記格納凹部３０に格納された状態で、そのマグネットキー本体４０の他端部のうち前記第１ケース部材２７の第１ケース部材主部２７ａに対向する側の面には、凹部４２と、該凹部４２の中央部に配置される円形突部４３と、前記凹部４２内で前記円形突部４３の周囲に配置される複数個たとえば４個の収容凹部４４とが形成されており、４個の収容凹部４４のうち選択された３個の収容凹部４４にＮ極およびＳ極のいずれか一方を前記収容凹部４４の外端側に臨ませるようにして前記マグネット４１が収容された状態で、前記円形突部４３を嵌合させる円形孔４５を中央部に有する蓋部材４６を前記凹部４２に嵌合して貼着することで、前記マグネットキー２２が構成される。
【００２９】
しかも前記マグネット錠２０における前記マグネットキー挿入孔２１への前記マグネットキー２２の挿入姿勢を一定とするために、前記マグネットキー本体４０において前記マグネット４１が配設される面とは反対側の面の幅方向両側には、傾斜面４０ａがそれぞれ形成され、前記マグネットキー挿入孔２１も前記マグネットキー本体４０の横断面形状に対応した形状に形成される。
【００３０】
前記キーユニット２５は、前記マグネットキー２２、前記ケース２３および前記メカニカルキー２４に加えて、前記突出位置に向けて前記マグネットキー２２を弾発付勢する弾発部材としてのねじりばね４８と、前記マグネットキー２２の作動を規制する作動規制部材４９と、該作動規制部材４９を操作することを可能として前記ケース２３に配設される押しボタン５０とを備える。
【００３１】
図６〜図１２を併せて参照して、第１ケース部材２７における第１ケース部材主部２７ａの一端部には、中央部に棒状の突部２７ｊが突設される円形のばね収容凹部５１が形成されるとともに、そのばね収容凹部５１の周縁部から第２ケース部材２８側に向けて突出する円筒状のガイド筒部２７ｋが一体に設けられる。また前記ガイド筒部２７ｋの周囲に配置される円弧状の回動規制溝５２が前記第１ケース部材主部２７ａに形成される。
【００３２】
前記作動規制部材４９は、前記ガイド筒部２７ｋ内に一端部が挿入される円筒部４９ａと、該円筒部４９ａの一直径線上に配置されるようにして前記円筒部４９ａの外周から両側に突出する一対の第１係合腕部４９ｂと、それらの第１係合腕部４９ｂよりも前記第１ケース部材主部２７ａ寄りで前記円筒部４９ａの他の一直径線上に配置されるようにして前記円筒部４９ａの外周から両側に突出する一対の第２係合腕部４９ｃとを一体に備え、第１係合腕部４９ｂおよび第２係合腕部４９ｃは、相互に直交する方向に延びるようにして前記円筒部４９ａから突出する。また有底円筒状に形成される前記押しボタン５０が前記円筒部４９ａの他端部に同軸にかつ一体に連設される。
【００３３】
前記ねじりばね４８の一端部は、前記第１ケース部材２７の前記突部２７ｊを囲繞するようにして前記ばね収容凹部５１内に収容されて第１ケース部材主部２７ａに当接される。また前記ねじりばね４８の他端部は前記押しボタン５０内に収容されて該押しボタン５０に当接される。しかも前記ねじりばね４８の一端部に形成される第１係合片４８ａは、前記ガイド筒部２７ｋの周方向１箇所を横断するようにして前記第１ケース部材２７に形成される係止溝５８に係合され、前記ねじりばね４８の他端部に形成される第２係合片４８ｂは、前記押しボタン５０の内部に形成される係止突部５０ａに係合される。このようなねじりばね４８によって、前記作動規制部材４９および押しボタン５０は、第１ケース部材主部２７ａから離反する方向にばね付勢されるとともに、図６および図１０〜図１２の時計方向にばね付勢されることになる。
【００３４】
前記マグネットキー２２における前記マグネットキー本体４０の一端部には、前記作動規制部材４９の円筒部４９ａを貫通させる貫通孔５３が第１ケース部材２７における前記ガイド筒部２７ｋの一部を挿入させるようにして設けられ、第２ケース部材２８における第２ケース部材主部４８ａの一端部には、前記作動規制部材４９の円筒部４９ａおよび前記押しボタン５０を挿通させるようにして前記貫通孔５３よりも小径に形成される挿通孔５４が、前記貫通孔５３と同軸に設けられる。
【００３５】
前記マグネットキー本体４０には、前記作動規制部材４９の前記第１係合腕部４９ｂをスライド可能に嵌合させる一対の嵌合溝５５が前記貫通孔５３の内面に開口して軸方向に延びるようにして設けられる。一方、前記第２ケース部材２８の第２ケース部材主部２８ａには、前記ねじりばね４８で軸方向に付勢された前記作動規制部材４９の前記第１係合腕部４９ｂに前記マグネットキー本体４０とは反対側から対向する段部５６ａを形成する一対の第１係合凹部５６が、前記マグネットキー２２が前記格納位置に在る状態で前記嵌合溝５５に連なるようにしつつ前記挿通孔５４の内面ならびに前記マグネットキー本体４０側に開放するようにして設けられる。
【００３６】
また前記マグネットキー本体４０には、前記ねじりばね４８で軸方向に付勢された前記作動規制部材４９の前記第２係合腕部４９ｃに前記第１ケース部材主部２７ａとは反対側から当接し得る段部５７ａを形成する一対の第２係合凹部５７が、前記貫通孔５３の内面および前記第１ケース部材主部２７ａ側に開放するようにして設けられ、それらの第２係合凹部５７には前記作動規制部材４９の前記第２係合腕部４９ｃがスライド可能に係合される。
【００３７】
前記作動規制部材４９の前記第１係合腕部４９ｂが前記マグネットキー本体４０の嵌合溝５５に嵌合するとともに前記第２係合腕部４９ｃが前記マグネットキー本体４０の前記第２係合凹部５７に係合していることで、前記作動規制部材４９に作用している前記ねじりばね４８のばね力で、前記マグネットキー本体４０は突出位置側に向けて弾発付勢されることになり、前記マグネットキー２２を前記ねじりばね４８のばね力に抗して前記格納位置に回動操作すると、前記マグネットキー本体４０の前記嵌合溝５５は前記第２ケース部材２８の前記第１係合凹部５６に連なることになり、前記ねじりばね４８で軸方向に付勢された前記作動規制部材４９が、その第１係合腕部４９ｂの一部を前記第１係合凹部５６に係合させる位置まで軸方向に移動する。これにより前記第１係合腕部４９ｂが前記嵌合溝５５および前記第１係合凹部５６に跨がって係合することになり、前記マグネットキー２２から手を離しても該マグネットキー２２は格納位置で保持されることになる。この際、前記作動規制部材４９の第２係合腕部４９ｃは、前記第２係合凹部５７の前記段部５７ａに当接し、前記ねじりばね４８による軸方向のばね付勢力で前記マグネットキー本体４０は第２ケース部材２８側に押し付けられ、それによってケース２３内でのマグネットキー２２のがたつきが抑えられ、この状態で前記押しボタン５０の一部は前記第２ケース部材２８における第２ケース部材主部２８ａから突出する。
【００３８】
すなわち前記作動規制部材４９は、前記マグネットキー２２の格納位置で前記嵌合溝５５および前記第１係合凹部５６に跨がって係合することで前記マグネットキー２２を前記格納位置で保持する規制位置（図７および図８の実線で示す位置）と、前記押しボタン５０を押し込み操作して前記係合凹部５６との係合を解除することで前記マグネットキー２２が前記格納位置から前記突出位置に回動することを許容する規制解除位置（図７および図８の鎖線で示す位置）間で作動するようにして前記ケース２３に配設される。
【００３９】
さらに前記マグネットキー本体４０には、前記第１ケース部材２７における第１ケース部材主部２７ａに形成された前記回動規制溝５２に嵌合する規制突部４０ｂが一体に突設されており、この規制突部４０ｂが前記回動規制溝５２の周方向両端に当接することで、前記マグネットキー２２の前記格納位置側への回動端ならびに前記突出位置側への回動端が規制される。
【００４０】
次にこの実施の形態の作用について説明すると、マグネット錠２０を解錠可能なマグネットキー２２を有するキーユニット２５において、前記マグネットキー２２が、携帯可能なケース２３に、該ケース２３から突出した突出位置と、前記ケース２３に格納される格納位置との間で作動することを可能として取付けられるので、キーユニット２５のデザイン上の自由度を高めることができる。
【００４１】
また前記キーユニット２５は、前記突出位置に向けて前記マグネットキー２２を弾発付勢するねじりばね４８と、前記マグネットキー２２を前記格納位置で保持する規制位置ならびに前記マグネットキー２２の前記格納位置から前記突出位置への作動を許容する規制解除位置間で作動することを可能として前記ケース２３に支持されるとともに前記規制位置側に向けて弾発付勢される作動規制部材４９と、該作動規制部材４９を前記規制解除位置に強制的に移動させるように押し込み操作することを可能として前記ケース２３に配設される押しボタン５０とを備えるので、押しボタン５０を追し込み操作するだけで、マグネットキー２２を格納位置から突出位置に動かすことができ、操作性が向上する。
【００４２】
また前記マグネットキー２２が、シリンダ錠１５のキー孔１８を開閉するシャッター板１９を閉じ位置に保持するマグネット錠２０を解錠するものであるので、シリンダ錠１５のキー孔１８を保護するシャッター板１９の開き操作性を高めることができる。
【００４３】
さらに前記シリンダ錠１５を解錠するメカニカルキー２４が、前記ケース２３から突出するようにして前記ケース２３に固定されるので、ケース２３の携帯性を高めることができる。
【００４４】
以上、本発明の実施の形態について説明したが、本発明は上記実施の形態に限定されるものではなく、特許請求の範囲に記載された本発明を逸脱することなく種々の設計変更を行うことが可能である。
【００４５】
たとえば上述の実施の形態では、ねじりばね４８でマグネットキー２２を突出位置に向けて弾発付勢するとともに、作動規制部材４９を規制位置側に向けて付勢する弾発付勢するようにしたが、マグネットキー２２を突出位置に向けて弾発付勢する第１の弾発部材と、作動規制部材４９を規制位置側に向けて弾発付勢する第２の弾発部材とを備えるようにしてもよい。
【符号の説明】
【００４６】
１５・・・シリンダ錠
１８・・・キー孔
１９・・・シャッター板
２０・・・マグネット錠
２２・・・マグネットキー
２３・・・ケース
２４・・・メカニカルキー
２５・・・キーユニット
４８・・・弾発部材であるねじりばね
４９・・・作動規制部材
５０・・・押しボタン
【図１】
2016089336.tif 000003
【図２】
2016089336.tif 000004
【図３】
2016089336.tif 000005
【図４】
2016089336.tif 000006
【図５】
2016089336.tif 000007
【図６】
2016089336.tif 000008
【図７】
2016089336.tif 000009
【図８】
2016089336.tif 000010
【図９】
2016089336.tif 000011
【図１０】
2016089336.tif 000012
【図１１】
2016089336.tif 000013
【図１２】
2016089336.tif 000014